(57)【要約】  回転ドリル用のビットであって、ビットは、少なくとも２本の溝が設けられていて切削端で終端した円筒形本体と、隣り合う溝相互間で円筒形本体の周面によって画定された円筒形ランドとを有し、円筒形ランドは、円筒形ランドの残部に対して半径方向に高くされたマージンを有し、マージンは、円筒形ランドの長さに沿って変化する幅を有する、ビット。【選択図】図１
2014500804.tif 000002
【特許請求の範囲】
【請求項１】
回転ドリル用のビットであって、前記ビットは、少なくとも２本の溝が設けられている円筒形本体を有し、前記円筒形本体は、切削端で終端しており、前記ビットは、隣り合う溝相互間で前記円筒形本体の周面によって画定された円筒形ランドを更に有し、前記円筒形ランドは、前記円筒形ランドの残部に対して半径方向に高くされたマージンを有し、前記マージンは、前記円筒形ランドの長さに沿って変化する幅を有する、ビット。
【請求項２】
前記マージンは、広幅ゾーン及び細幅ゾーンを含み、前記広幅ゾーンは、前記ドリルの前記切削端寄りに配置されている、請求項１記載のビット。
【請求項３】
前記マージンの前記広幅ゾーンは、前記ドリルの切れ刃に隣接して配置されている、請求項１記載のビット。
【請求項４】
前記ドリルの先端部は、ＰＣＤ塊を含み、前記マージンの前記広幅ゾーンは、前記ＰＣＤ塊の一部をなしている、請求項２又は３記載のビット。
【請求項５】
前記ＰＣＤ塊は、ＰＣＤ層である、請求項４記載のビット。
【発明の詳細な説明】
【技術分野】
【０００１】
本発明は、一般に、回転ドリル用のビットに関し、特に溝付き多結晶ダイヤモンド（polycrystalline diamond ：ＰＣＤ）チップ付きツイストドリルに関する（しかしながら、これが全てではない）。
【背景技術】
【０００２】
ツイストドリルは、一般に、１つ又は２つ以上の切削面又はリップを有すると共に更にあけられている穴からの切り屑を運搬するための１つ又は２つ以上の螺旋又は直線溝を有するロータリエンド型切削工具と呼ぶことができる。ツイストドリルは、金属、プラスチック、木材及びメーソンリに穴をあけるために使用される場合がある。ツイストドリルは、種々の材料、例えば低炭素鋼、高炭素鋼、高速度鋼、コバルト鋼又は炭化物材料から製造可能である。ツイストドリルは、ドリル本体に固定された炭化タングステン先端部を含む場合のある耐摩耗性チップを有する場合がある。
【０００３】
米国特許第５，５８０，１９６号明細書は、ドリルのチップの頂面の実質的に全体にわたって延びる実質的に一様な軸方向厚さの多結晶ダイヤモンド（ＰＣＤ）材料又は多結晶質立方晶窒化硼素（ＰＣＢＮ）材料の層を有するツイストドリルビットを開示している。日本国特開２００１‐２５２８１１号公報は、ｃＢＮ又はダイヤモンド層を含むチップを有するドリルを開示している。
【先行技術文献】
【特許文献】
【０００４】
【特許文献１】米国特許第５，５８０，１９６号明細書
【特許文献２】日本国特開２００１‐２５２８１１号公報
【発明の概要】
【発明が解決しようとする課題】
【０００５】
或る特定の材料、特に超硬度材料、例えばＰＣＤ及びＰＣＢＮ（これらが全てではない）は、比較的耐摩耗性を示すが、比較的脆弱であり、しかも使用中にチッピング及び破断を生じがちな場合がある。例えば、超硬度材料から成るドリルチップは、硬質材料中に穴をあけるために用いられた場合、チップの先端部が欠ける（チッピングを起こす）恐れがある。チップは、穴内にドリルの側方配置場所を固定する際に役割を果たす場合があり、チップのたとえ少量の欠けであってもその結果として、穴寸法の精度が低下する場合がある。この問題は、深い穴及び高い精度が要求される穴にとって特に重要である可能性がある。
【課題を解決するための手段】
【０００６】
本発明は、回転ドリル用のビットであって、ビットは、少なくとも２本の溝が設けられている円筒形本体を有し、円筒形本体は、切削端で終端しており、ビットは、隣り合う溝相互間で円筒形本体の周面によって画定された円筒形ランドを更に有し、円筒形ランドは、円筒形ランドの残部に対して半径方向に高くされたマージンを有し、マージンは、円筒形ランドの長さに沿って変化する幅を有することを特徴とするビットを提供する。ビット及びドリルは、特に工業製造環境、例えば航空宇宙又は自動車業界において（しかしながら、これらは全てではない）、金属、複合材、繊維補強ポリマー材料から成る物体を機械加工する機械工具用のものである場合がある。
【０００７】
種々の組み合わせ及び構成が本発明によって想定され、以下に述べるこれら組み合わせ及び構成は、非排他的且つ非網羅的な実施例である。例えば、マージンは、広幅ゾーン及び細幅ゾーンを含むのが良く、マージンの広幅ゾーンは、ビットの切削端寄りに配置され且つ／或いはマージンの広幅ゾーンは、ビットの切れ刃に隣接して配置されるのが良い。ビットの先端部は、超硬度材料、例えばＰＣＤ材料から成る。ドリルの先端部は、ＰＣＤ塊を含むのが良く、マージンの広幅ゾーンは、ＰＣＤ塊の一部をなすのが良い。例示の一構成例では、ＰＣＤ塊は、ＰＣＤ層であるのが良い。
【０００８】
ツイストドリルの円筒形ランドは、隣り合う溝相互間のドリルの本体の周辺部分である。ドリルの円筒形ランドは、ドリル本体と形成中の穴の表面との間に或る程度の隙間を提供するよう設計されているのが良い。しかしながら、この円筒形ランドは又、ドリルを真っ直ぐな軌道上を案内するのに役立つ場合があり、ランドの残部よりも更に半径方向外方に延びるランドの一部分は、マージンと呼ばれている。マージンは、上述の案内機能を提供する。しかしながら、マージンが特に鋼及び超硬合金（焼結炭化物）ドリルに関して広すぎる場合、結果として、ドリルと穴表面との間に過剰の摩擦が生じる恐れがあり、それによりドリルを回転させるのに必要なトルクが増大すると共に穴の表面仕上げに悪影響が生じる。マージンによって及ぼされるトラクションの大きさは、工具材料と被削材との間の摩擦係数により定められる。マージンがドリルの溝付き部分に沿って一様な幅のものであると共にドリルビットと穴あけ中の物体との間の摩擦を減少させるために比較的細幅である場合、穴に対するドリルの案内度が低下する恐れがある。
本発明のビット構成は、不適当な穴寸法精度の恐れを減少させる観点を有すると言える。また、これを加えられるトルクが実質的に増大することなく達成できる可能性がある。  添付の図面の図１を参照して非限定的な実施例について説明する。
【図面の簡単な説明】
【０００９】
【図１】例示のツイストドリルの前方端部の概略側面図である（ドリルビットの端部分しか示されていない）。
【発明を実施するための形態】
【００１０】
本発明は、少なくとも部分的に、ドリルの円筒形ランドの形態に関し、特に円筒形ランドのマージンに関する。図１に示されている例示の構成例では、ドリルビット１０は、超硬合金基体５０に接合されたＰＣＤ構造体（又は塊）４０を有し、超硬合金基体は、鋼本体２０に接合されている。ドリルビット１０の先端部３０は、ドリルビット１０の切削端とも呼ばれる場合がある。ビット１０は、周辺円筒形ランド２２を有し、このランドは、２つの隣り合う溝２４（これら溝のうちの一方が図１に見える）相互間に延びるドリル本体の周辺部分である。ドリルの先端部３０は、主切削面３１並びにチゼルエッジ３２を有し、チゼルエッジ３２は、基本的に、ドリルの２つの向かい合った溝２４相互間にまたがるウェブである。切れ刃コーナ３５が切削面３１と円筒形ランド２２の交差部により形成されている。円筒形ランド２２のマージン２３は、円筒形ランド２２の残部に対して高くされ又は隆起しており、マージン２３の幅は、ドリルの長さに沿って一様ではない。マージン２３は、減少幅のゾーン２３．１及び増大幅のゾーン２３．２を有し、増大幅のゾーン２３．２は、ドリル１０の先端部３０寄りに配置されている。具体的に説明すると、増大幅のゾーン２３．２は、少なくとも部分的に、ＰＣＤ層４０によって構成されている。この理由としては、ＰＣＤが特に鋼本体２０又は炭化物層５０の摩擦係数と比較して極めて小さい摩擦係数を有し、従って、マージンの延長部２３．２がドリルを回転させるのに必要なトルクにそれほど影響を及ぼさないでドリルの案内度を向上させることができるからである。  円筒形本体２０には２本の螺旋溝が設けられるのが良く、これら螺旋溝は、使用中、切り屑と呼ばれている脱落材料を穴あけ中の穴（図示せず）から押し退ける。種々の幾何学的形状の溝を使用することができ、溝幾何学的形状の種々の観点、例えばピッチ、ピッチ角度、螺旋／真っ直ぐ形状を本発明に従ってドリルビットに使用することができる。円筒形ランド２２は、隆起区分２３又はマージン並びに凹み区分２５を有し、凹み区分２５は、この凹み区分２５のところの円筒形本体の直径を減少させるために部分的に半径方向に切除されており、かくしてマージン２３と凹み区分２５との間に段部が形成されている。円筒形ランド２２の凹み区分２５は、ドリル本体と形成中の穴の表面との間に所与の程度の隙間をもたらすよう設けられている。マージン２３は、ドリルが穴あけ中の穴に当接しているときにドリルを直線軌道上で案内するのに役立つ。マージン２３は又、切れ刃コーナ３５のところで主切削面３１と交差する副切削面として機能することができる。
【００１１】
理解されるように、上述の内容は、本発明のドリルビットの一実施例の構成であるに過ぎず、本発明の精神又は範囲から逸脱することなく多くの変形が可能である。実施例を主としてツイストドリルに関して説明したが、理解されるように、この技術的思想は、回転ドリル及びカッタ用の他のビットにも利用できる。
【００１２】
本明細書で用いられている或る特定の用語及び概念について以下に簡単に説明する。
【００１３】
螺旋状か真っ直ぐかのいずれかの場合がある（ドリルの回転軸線に対して定められる）溝は、新たに生じた切り屑をあけられている穴から運び出すのに役立つ。溝は、ドリルの用途および切り屑の所要の除去速度に応じて、多くの仕方で幾何学的に構成されている場合がある。別の設計上の検討対象は、大きな断面の溝がドリルの強度及び剛性を減少させるのでドリルの剛性及び強度である。
【００１４】
ドリルの先端部は、切れ刃を有し、これら切れ刃は、被削材を剪断してこれを容易に取り出すことができる切り屑にするよう働く。先端部は、チゼルエッジを更に含み、このチゼルエッジは、切れ刃相互間に対称に配置されると共にドリルの回転軸線と同心である。最も簡単なドリルでは、チゼルエッジの幾何学的形状が、溝を隔てる材料の部分であるウェブ厚さによって定められる。ドリルのウェブ部分は、被削材を切削せず、これとは異なり、これを中心から切れ刃に向かって外方に押し出すので、その長さは、溝とドリル先端部表面との交差部のところに切欠きを形成することによって最小限に抑えられる場合が多い。ドリル先端部の設計（ウェブ及び切欠きの幾何学的形状）は、その回転精度、即ち、ドリルが案内機構体の回転軸線回りに同心状に回転する度合いに部分的に影響を及ぼす。現場で用いられる大抵のドリルは、２つの切れ刃を有する。というのは、これが最も経済的な設計だからである。
【００１５】
加工物を穴あけする際、ドリルビットの切削作用により除去される加工物材料は、典型的には、「切り屑」と呼ばれる小片の形態をしている。すくい面は、切り屑が流れるドリルビット又は切削インサートの表面を意味するものと理解されたい。すくい角は、加工物表面に対するすくい面の傾斜角であり、正のすくい角は、切り屑が加工物から遠ざかるようにすることができ、負のすくい角は、切り屑を加工物の方へ差し向ける。
【００１６】
合成ダイヤモンド、天然ダイヤモンド、多結晶ダイヤモンド（ＰＣＤ）、立方晶窒化硼素（ｃＢＮ）及び多結晶ｃＢＮ（ＰＣＢＮ）材料は、超硬度材料の例である。本明細書で用いられる合成ダイヤモンドは、人工ダイヤモンドとも呼ばれ、製造されたダイヤモンド材料である。本明細書で用いられる多結晶ダイヤモンド（ＰＣＤ）材料は、複数のダイヤモンド結晶粒の塊状体（複数のダイヤモンド結晶粒の凝集体）から成り、ダイヤモンド結晶粒の大部分は、互いに直接的に内部結合され、かかる材料中のダイヤモンド含有量は、この材料の少なくとも約８０体積パーセントである。ダイヤモンド結晶粒相互間の隙間は、少なくとも部分的に、合成ダイヤモンドのための触媒材料を含む結合剤で満たされているのが良いが、実質的に空であっても良い。本明細書で用いられる合成ダイヤモンド用の触媒材料は、合成又は天然ダイヤモンドが熱力学的に安定状態にある温度及び圧力において、合成ダイヤモンド結晶粒の成長及び／又は合成又は天然ダイヤモンド結晶粒の直接的内方成長を促進することができる。ダイヤモンド用の触媒材料の例は、Ｆｅ、Ｎｉ、Ｃｏ、Ｍｎ及びこれら元素を含む或る特定の合金である。ＰＣＤ材料から成る本体は、少なくとも、触媒材料を隙間から除去した起点場所としての領域を有するのが良く、後にはダイヤモンド結晶粒相互間に隙間ボイドが残る。本明細書で用いられているＰＣＢＮ材料は、金属又はセラミック材料から成る母材中に分散配置された立方晶窒化硼素（ｃＢＮ）の結晶粒から成る。
【図１】
2014500804.tif 000003
【国際調査報告】
2014500804.tif 000004
2014500804.tif 000005
2014500804.tif 000006